(57)【要約】【課題】建物の通気層室内側に透湿防水シートを張設することによって通気層における透湿性と通気層に侵入した白蟻に対する防蟻性の双方を高度に確保した木造建物の防蟻装置を提供する。【解決手段】高密度ポリエチレン繊維による不織布シートによって透湿防水シート９を形成するとともにこの透湿防水シート９の透湿性と防蟻性の双方を高度に確保するように上記高密度ポリエチレン繊維を，０．５〜１０μｍ程度の極細にして連続性を有するようにした極細繊維を用いて，ランダム配置により相互に密に絡み合うようにして部分的に溶着して形成するようにして，該透湿防水シート９を木造建物Ａの土台２から軒裏１３及び屋根下地１４まで外装下地８の全面に張設して，通気層１１に侵入した白蟻が室内側に至り得ないように建物Ａ全体を覆うようにする。【選択図】　　　　図１
2004011280.tif 000002
【特許請求の範囲】
【請求項１】
縦胴縁を介設して外装材内側に形成した通気層の室内面に透湿防水シートを張設することによって室内外を区分した木造建物において，上記透湿防水シートを，０．５〜１０μｍ程度の径の連続性繊維を加熱結合して形成した連続性極細高密度ポリエチレン繊維による不織布シートとすることによって上記通気層における透湿防水及び通気層侵入白蟻の防蟻用バリアとしてなることを特徴とする木造建物における通気壁防蟻装置。
【請求項２】
上記連続性極細高密度ポリエチレン繊維による不織布シートに代えて，透湿防水シートを，０．１〜０．２ｍｍ程度の径のガラス繊維を５０〜６０メッシュ程度に平織，綾織，朱子織等に織成した織布シートとしてなることを特徴とする請求項１に記載の木造建物の通気壁防蟻装置。
【請求項３】
上記不織布シート又は織布シートの張設を，土台位置から軒裏及び／又は屋根下地位置までの面に亘るように連続して行うことによって上記通気層上端を密封してなることを特徴とする請求項１又は２に記載の木造建物における通気壁防蟻装置。
【発明の詳細な説明】
【０００１】
【発明の属する技術分野】
本発明は木造建物に関し，特に通気壁の防蟻性を確保した通気壁防蟻装置に関する。
【０００２】
【従来の技術及び発明が解決しようとする課題】
縦胴縁を介設して外装材内側に形成した通気層の室内面に透湿防水シートを張設することによって室内外を区分した木造建物が知られており，この場合透湿防水シートは，例えば０．０５乃至０．１ｍｍ厚のポリエチレンフィルム等が用いられており，水分の透過性が小さく，酸素や炭酸ガス分子の透過性があることから，通気層内に室内側の湿気の放出を行うものとされる。
【０００３】
この場合通気層を設けたことにより欠点を解消し，木造建物に好ましい住環境を確保し得るものとなるが，一方で端部が開放された通気層が存在することによって該通気層に白蟻が侵入する可能性を否定できず，白蟻はポリエチレンフィルム等の樹脂フィルムを噛み切るため，建物に通気層を配置することによって建物の防蟻性を損なうことにもなり兼ねない。
【０００４】
本発明はかかる事情に鑑みてなされたもので，その解決課題とするところは，上記通気層の高度な透湿防水性と侵入白蟻に対する高度な防蟻性の双方を確保し得る木造建物の通気壁防蟻装置を提供するにある。
【０００５】
【課題を解決するための手段】
上記課題に添って鋭意研究したところ，建物に通気層を設置するメリットを維持する一方で，上記通気層の室内面に張設するシートを，０．５〜１０μｍ程度の径の連続性繊維を加熱結合して形成した連続性極細高密度ポリエチレン繊維による不織布シートとすることが，通気層に好ましい透湿防水性を備えるとともに通気層に侵入することある白蟻に対して防蟻用バリアを形成し，白蟻が通気層から室内側に侵入するのを確実に防止することによってその高度な防蟻性を確保する上で極めて効果的である事実，更にこの不織布シートとすることが，直射日光を受けて４０〜５０℃程度に高温化する通気層にあって，樹脂フィルムのような劣化が生じることなく，例えば３０年相当の促進試験においてもなお高度な防水性を備えて耐久性に極めて優れている事実を見出し，これら知見に基づいて本発明をなすに至ったものであり，即ち本発明は，その請求項１に記載の発明を，縦胴縁を介設して外装材内側に形成した通気層の室内面に透湿防水シートを張設することによって室内外を区分した木造建物において，上記透湿防水シートを，０．５〜１０μｍ程度の径の連続性繊維を加熱結合して形成した連続性極細高密度ポリエチレン繊維による不織布シートとすることによって上記通気層における透湿防水及び通気層侵入白蟻の防蟻用バリアとしてなることを特徴とする木造建物における通気壁防蟻装置としたものである。
【０００６】
請求項２に記載の発明は，同じく上記シートを，０．１〜０．２ｍｍ程度の径のガラス繊維を５０〜６０メッシュ程度に平織，綾織，朱子織等に織成した織布シートとすることが，上記高密度ポリエチレン繊維の不織布シートに比して，防水性の維持年数が幾分劣る傾向を示すが，１５〜２０年程度の高度な防水性を備えて耐久性に優れ，同じく好ましい透湿防水性と高度な防蟻性の確保に極めて効果的である事実から，これを，上記連続性極細高密度ポリエチレン繊維による不織布シートに代えて，透湿防水シートを，０．１〜０．２ｍｍ程度の径のガラス繊維を５０〜６０メッシュ程度に平織，綾織，朱子織等に織成した織布シートとしてなることを特徴とする請求項１に記載の木造建物の通気壁防蟻装置としたものである。
【０００７】
請求項３に記載の発明は，上記防蟻性をそれぞれ高度に確保する上で，通気層の室内面への張設を好ましい形態とするように，これを，上記不織布シート又は織布シートの張設を，土台位置から軒裏及び／又は屋根下地位置までの面に亘るように連続して行うことによって上記通気層上端を密封してなることを特徴とする請求項１又は２に記載の木造建物における通気壁防蟻装置としたものである。
【０００８】
本発明はこれらをそれぞれ発明の要旨として，上記課題解決の手段としたものである。
【０００９】
【発明の実施の形態】
以下図面の例に従って本発明を更に具体的に説明すれば，Ａは，例えば２階建て住宅とした木造建物であり，該木造建物Ａは，縦胴縁１１を介設して外装材１２内側に形成した通気層１１の室内面に透湿防水シート９を張設することによって室内外を区分した，通気壁を備えた構造のものとしてある。
【００１０】
即ち通気壁における通気層１１は，柱及び間柱４の室外側に外装下地８を張設し，該外装下地８に縦胴縁１１を所定ピッチに固定し，該縦胴縁１１に，例えば無機ボード系，金属系等の外装材１２を設置することによって，該外装材１２の内側にして該外装材１２と外装下地８間にそれぞれ上下に連通するように形成してあり，また上記柱及び間柱４の室内側には内装下地６をベースにして内装材７による内装仕上を施すとともに柱及び間柱４で区画された上記外装下地８と該内装下地６間には断熱材５を充填したものとしてある。
【００１１】
透湿防水シート９は，上記外装下地８に面接するように該外装下地８を張設ベースとしてこれに適宜の固定手段，例えばステープル等の固定金具の固定，スポット的な接着固定等の固定手段を施すことによって，その張設を行ってあり，縦胴縁１０の固定を該透湿防水シート９の張設の後に行うことによって，透湿防水シート９は該縦胴縁１０によって室内側に押圧されるように配置してあり，また透湿防水シート９は，所定幅のロール形態のものを用いて，外装下地８の左右幅方向にその下方から上方にその隣接端部を相互に重合してその張設を行ってある。このとき透湿防水シート９の上記重合端部は，例えば両面接着性を備えた防水テープを介設し又は端部相互を逢着することによって，これらの間を密封することによって該透湿防水シート９の一連の連続性を確保するようにしてある。
【００１２】
透湿防水シート９は，これを，０．５〜１０μｍ程度の径の連続性繊維を加熱結合して形成した連続性極細高密度ポリエチレン繊維による不織布シートとしてあり，該高密度ポリエチレン繊維の不織布シートを用いることによって，上記通気層１１における透湿防水及び通気層侵入白蟻の防蟻用バリアとしたものとしてある。
【００１３】
即ち本例の透湿防水シート９は，連続形成することによって所定長さの連続性を備え且つ径の大半が上記範囲に含まれるように形成し，例えば紫外線吸収剤を混合した高密度ポリエチレンの極細繊維を用い，該極細繊維をランダム配置することによって相互に密に絡みあう状態として，加熱下の加圧を行い極細繊維に部分的溶着を施すことによって布状の可撓性を備えた平均厚さ１５０乃至２００μｍ程度のロール状の不織布シートとして形成し，透湿性，耐水性，引張及び引裂強さ等の強度に優れたものを使用してあり，本例にあって該不織布シートは，これを例えばデュポン社製タイベック（商標）を用いて上記透湿防水シートとするようにしてある。
【００１４】
このとき高密度ポリエチレンの繊維は，０．５μｍ程度を下回ると径が細すぎることによって不織布シートとしての透湿性が損なわれる傾向を生じる一方，１０μｍ程度を上回ると径が太すぎることによって不織布シートとして繊維の偏り等に起因する凹凸や空隙が生じる可能性があるため，後述の防蟻性が損なわれる傾向を生じるから上記範囲の径のものを用いることが必要である。また厚さは，これら極細繊維を用いるとき上記程度とすることが全体を比較的均質化して透湿性と防蟻性の双方を確保し易く好ましい。
【００１５】
透湿防水シート９の張設は，該ロール状の不織布シートを壁面を単位として上下に段状をなすように上記下方から上方に端部に防水テープを介して重合し，また壁面の幅方向端部も同様に重合するように各壁面における外装下地８の全面に空隙のないように行うことによって，木造建物Ａの全体を該不織布シートで覆うようにこれを張設するものとしてあり，このとき該張設は，これを，土台２位置から軒裏１３及び／又は屋根下地１４位置までの面に亘るように連続して行うものとして，特に上端の屋根部分において建物構造体との間に空隙が生じないように上記不織布シートの端部を建物構造体との間を密に配置するようにし，軒裏１３においては，例えばこれに設置した通気用パネルの上面の全面に張設し，また屋根においては，例えば屋根下地１４に達するように不織布シートを持ち上げる等してその張設を行うものとしてある。
【００１６】
このように高密度ポリエチレン繊維を密に絡みあわせて部分的溶着を行って形成した上記不織布シートによる透湿防水シート９を張設した木造建物Ａは，該不織布シートの優れた透湿性，耐水性によって通気壁の通気層１１に好ましい透湿防水性を備えるとともにその引張及び引裂強さ等の優れた強度によって通気層１１に侵入することある白蟻に対して防蟻用バリアを形成し，白蟻が通気層１１から室内側に侵入するのを確実に防止して高度な防蟻性を確保することが可能になり，またその優れた耐久性によって該透湿防水性及び防蟻性を数十年に亘って建物寿命と同程度に維持することが可能となり，更に上記例のものは土台位置から上端の軒裏１３及び／又は屋根下地１４位置までの外装下地８全面に上記不織布シートによる透湿防水シート９を張設したことによって通気層１１の上端まで防蟻用バリアが形成されることにより通気層１１に白蟻が侵入しても室内側に至る可能性を解消して極めて高度な防蟻性を確保することができる。
【００１７】
図中１はベタ基礎，３通気孔付きの通気層下端塞ぎ板を上方逆Ｌ字状に有する備えた土台水切をそれぞれ示す。
【００１８】
図示した例は以上のとおりとしたが，透湿防水シートは，上記連続性極細高密度ポリエチレン繊維による不織布シートに代えて，これを，０．１〜０．２ｍｍ程度の径のガラス繊維を５０〜６０メッシュ程度に平織，綾織，朱子織等に織成した織布シートとすることができ，この場合も上記と同様に，その優れた透湿性，耐水性によって通気層に好ましい透湿防水性を備えるとともに優れた強度によって通気層に侵入することある白蟻に対する防蟻用バリアの形成により高度な防蟻性を確保することが可能になる。このときガラス繊維の径が０．１ｍｍ程度を下回ると径が細すぎることによって織布シートとしての透湿性が損なわれる傾向を生じる一方，０．２ｍｍ程度を上回ると径が太すぎることによって織布シートとして繊維間に空隙が生じる可能性があるため上記防蟻性が損なわれる傾向を生じるから上記範囲の径のものを用いることが必要である。また織りのメッシュ数は，これら径のガラス繊維を使用するとき上記程度とすることが全体を比較的均質化して透湿性と防蟻性の双方を確保し易く好ましい。
【００１９】
本発明の実施に当って，木造建物，その通気層，透湿防水シート，高密度ポリエチレン繊維による不織布シート，ガラス繊維による織布シート等の各具体的構造，形状，材質，これらの関係，これらに対する付加等は，上記発明の要旨に反しない限り様々の形態とすることができる。
【００２０】
【発明の効果】
本発明は以上のとおりに構成したから，請求項１に記載の発明は，上記連続性極細の高密度ポリエチレン繊維による不織布シートの透湿防水シートを通気層の室内面に張設することによって，上記不織布シートの優れた透湿性，耐水性によって通気層に好ましい透湿防水性を備えるとともにその引張及び引裂強さ等の優れた強度によって通気層に侵入することある白蟻に対して防蟻用バリアを形成し，白蟻が通気層から室内側に侵入するのを確実に防止して高度な防蟻性を確保することが可能になり，またその優れた耐久性によって該透湿防水性及び防蟻性を数十年に亘って建物寿命と同程度に維持することが可能となることによって，高度な透湿防水性と高度な防蟻性の双方を確保し得る高度な耐久性に富んだ木造建物の通気壁防蟻装置を提供することができる。
【００２１】
請求項２に記載の発明は，上記ガラス繊維の織布シートによる透湿防水シートを用いることによって，その優れた透湿性，耐水性によって通気層に好ましい透湿防水性を備えるとともに優れた強度によって通気層に侵入することある白蟻に対する防蟻用バリアの形成により高度な防蟻性を確保することが可能となることによって高度な透湿防水性と高度な防蟻性の双方を確保し得る耐久性に富んだ木造建物の通気壁防蟻装置を提供することができる。
【００２２】
請求項３に記載の発明は，上記に加えて，土台位置から上端の軒裏及び／又は屋根下地位置までの外装下地全面に上記不織布シートによる透湿防水シートを張設したことによって通気層の上端まで防蟻用バリアが形成されることにより通気層に白蟻が侵入しても室内側に至る可能性を解消して極めて高度な防蟻性を確保した好ましい形態のものとすることができる。
【図面の簡単な説明】
【図１】建物の縦断面図である。
【図２】不織布シート配置状態の切欠き斜視図である。
【図３】不織布シート配置状態の縦断面図である。
【符号の説明】
Ａ　木造建物
２　土台
４　柱又は間柱
８　外装下地
９　透湿防水シート
１０　縦胴縁
１１　通気層
１２　外装材
１３　軒裏
１４　屋根下地
【図１】
2004011280.tif 000003
【図２】
2004011280.tif 000004
【図３】
2004011280.tif 000005